(57)【特許請求の範囲】
【請求項１】
テレビジョン放送局から放送されるテレビジョン信号を受信するテレビジョン信号受信装置において、
各地域における、テレビジョン信号の放送周波数に対応付けられた各物理チャンネルに割り当てられた論理チャンネル番号を示すＬＣＮ情報を含む地域情報テーブルを記憶した地域情報記憶手段と、
テレビジョン信号の各物理チャンネルを選局して、それら選局した各物理チャンネルのテレビジョン信号を受信できるか否かを判定する受信可否判定手段と、
本装置の設置されている地域を判定する設置地域判定手段とを備え、
前記設置地域判定手段は、前記受信可否判定手段により受信できると判定された物理チャンネルのテレビジョン信号から、該物理チャンネルに割り当てられている論理チャンネル番号を示すＬＣＮ情報を取得し、該物理チャンネルのテレビジョン信号から取得したＬＣＮ情報と、前記地域情報記憶手段に記憶している地域情報テーブルのＬＣＮ情報とに基いて、本装置の設置されている地域を判定する、
ことを特徴とするテレビジョン信号受信装置。
【請求項２】
前記地域情報記憶手段に記憶している地域情報テーブルは、各地域における、各物理チャンネルの放送周波数のオフセットを示す周波数オフセット情報をさらに含み、
前記設置地域判定手段は、前記受信可否判定手段により受信できると判定された物理チャンネルのテレビジョン信号から、該物理チャンネルの放送周波数のオフセットを示す周波数オフセット情報をさらに取得し、該物理チャンネルのテレビジョン信号から取得したＬＣＮ情報及び周波数オフセット情報と、前記地域情報記憶手段に記憶している地域情報テーブルのＬＣＮ情報及び周波数オフセット情報とに基いて、本装置の設置されている地域を判定する、
ことを特徴とする請求項１に記載のテレビジョン信号受信装置。
【請求項３】
論理チャンネル番号と物理チャンネルとの対応を示すチャンネルリストを作成するチャンネルリスト作成手段と、
ユーザにより選択された論理チャンネル番号に対応する物理チャンネルを選局するユーザ選択チャンネル選局手段とをさらに備え、
前記チャンネルリスト作成手段は、前記設置地域判定手段による判定結果と前記受信可否判定手段による判定結果とに基いて、前記チャンネルリストとして、前記設置地域判定手段により本装置の設置地域であると判定された地域における論理チャンネル番号と前記受信可否判定手段により受信できると判定された物理チャンネルとの対応を示すリストを作成し、
前記ユーザ選択チャンネル選局手段は、前記チャンネルリスト作成手段により作成されたチャンネルリストに基いて、ユーザにより選択された論理チャンネル番号に対応する物理チャンネルを選局する、
ことを特徴とする請求項１に記載のテレビジョン信号受信装置。
【請求項４】
前記地域情報記憶手段に記憶している地域情報テーブルは、各地域における、各物理チャンネルの放送周波数のオフセットを示す周波数オフセット情報をさらに含み、
ユーザにより選択された論理チャンネル番号に対応する物理チャンネルを選局するユーザ選択チャンネル選局手段をさらに備え、
前記ユーザ選択チャンネル選局手段は、ユーザにより選択された論理チャンネル番号に対応する物理チャンネルを、前記地域情報記憶手段に記憶している地域情報テーブルの周波数オフセット情報に基いて、オフセット込みの周波数で選局する、
ことを特徴とする請求項１に記載のテレビジョン信号受信装置。
【発明の詳細な説明】
【技術分野】
【０００１】
本発明は、テレビジョン放送局から放送されるテレビジョン信号を受信するテレビジョン信号受信装置に関するものである。
【背景技術】
【０００２】
従来から、テレビジョン信号の放送は、複数の異なる放送周波数で放送されており、各テレビジョン信号の放送周波数には、物理チャンネルと呼ばれる放送チャンネルが対応付けられている。テレビジョン信号受信装置は、オートサーチ動作と呼ばれる動作を行って、各物理チャンネルのテレビジョン信号を受信できるか否かを判定し、受信可能な物理チャンネルについてのチャンネルリストを作成するようになっている。各物理チャンネルには、ユーザが物理チャンネルを選択するために使用されるＬＣＮ（論理チャンネル番号）が割り当てられており、テレビジョン信号には、ＬＣＮを示すＬＣＮ情報が含まれている。すなわち、テレビジョン信号受信装置は、オートサーチ動作において、受信できるテレビジョン信号からＬＣＮ情報を取得して、テレビジョン信号を受信できる物理チャンネルについての、ＬＣＮと物理チャンネルとの対応を示すチャンネルリストを作成するようになっている。
【０００３】
ところで、各物理チャンネルに対するＬＣＮの割り当ては、地域毎に異なっており、各地域の放送基地から放送されるテレビジョン信号（すなわち各地域向けに放送されるテレビジョン信号）には、地域毎のＬＣＮの割り当てに対応して、異なるＬＣＮ情報が含まれている。また、テレビジョン信号受信装置は、テレビジョン信号受信装置の設置環境や電波の受信環境等によって、テレビジョン信号受信装置の設置地域向けのテレビジョン信号とは異なる、別の地域向けのテレビジョン信号を受信できる場合がある。従って、テレビジョン信号受信装置の設置位置や電波の受信環境によっては、同じ番号のＬＣＮについてのＬＣＮ情報を含んだ２つの別のテレビジョン信号（１つは、テレビジョン信号受信装置の設置地域向けのテレビジョン信号、もう１つは、別の地域向けのテレビジョン信号）を受信できる場合がある。
【０００４】
そこで、従来のテレビジョン信号受信装置では、オートサーチ動作において同じ番号のＬＣＮについてのＬＣＮ情報を含んだ２つの別のテレビジョン信号を受信できた場合、ユーザがＺＩＰコードの入力等、地域を指定することにより、地域設定を行って、どちらのテレビジョン信号を優先してチャンネルリストを作成するかを決めるようになっている。
【０００５】
一方、放送信号から取得した国識別情報ごとに国別チャンネルリストを作成し、ユーザが国を選択することにより、ユーザが選択した国の国別チャンネルリストを基に選局可能となるようにしたテレビジョン信号受信装置が知られている（例えば特許文献１参照）。また、同一のサービスを放送する複数の物理周波数を示す情報を、同一のチャンネル番号に対応付けて格納するようにしたテレビジョン信号受信装置が知られている（例えば特許文献２参照）。また、チャンネル配置が異なる国が隣接する環境下であっても、好適な中心周波数と周波数オフセットでチャンネルリストを作成するようにしたテレビジョン信号受信装置が知られている（例えば特許文献３参照）。また、テレビジョン信号に含まれる地域識別コードに基いて受信地域を特定し、その特定した受信地域に対応する受信可能チャンネル情報を地域別チャンネルデータベースから取得して、チャンネルリストを更新するようにしたテレビジョン信号受信装置が知られている（例えば特許文献４参照）。また、サービス情報取得対象チャンネルに隣接するチャンネルに放送が存在する場合に、サービス情報取得対象チャンネルの周波数と隣接するチャンネルの周波数の差が最大になるような周波数オフセットを初期周波数オフセット値として設定して、サービス情報取得対象チャンネルに対するサービス情報取得処理を開始するようにしたテレビジョン信号受信装置が知られている（例えば特許文献５参照）。
【先行技術文献】
【特許文献】
【０００６】
【特許文献１】特開２００９−１５２７７５号公報
【特許文献２】特開２００８−２８９０１８号公報
【特許文献３】特開２００８−２７８０８９号公報
【特許文献４】特開２００６−１３７６５号公報
【特許文献５】特開２００１−２０３９４７号公報
【発明の概要】
【発明が解決しようとする課題】
【０００７】
ところで、従来のテレビジョン信号受信装置においては、ＺＩＰコードの入力等、ユーザが地域を指定することにより、地域設定を行うようになっている。つまり、ユーザは、地域設定を行うために、地域を指定するための操作を必要とされ、ユーザにとって使い勝手が悪かった。なお、上述した特許文献１乃至特許文献５に開示の内容を適用したとしても、上記の問題を解決することはできない。
【０００８】
本発明は、上記課題を解決するためになされたものであり、ユーザが地域を指定するための操作をすることなく、自動的に、地域設定を行うことができ、ユーザの使い勝手を向上させることができるテレビジョン信号受信装置を提供することを目的とする。
【課題を解決するための手段】
【０００９】
上記目的を達成するために請求項１の発明は、テレビジョン放送局から放送されるテレビジョン信号を受信するテレビジョン信号受信装置において、各地域における、テレビジョン信号の放送周波数に対応付けられた各物理チャンネルに割り当てられた論理チャンネル番号を示すＬＣＮ情報を含む地域情報テーブルを記憶した地域情報記憶手段と、テレビジョン信号の各物理チャンネルを選局して、それら選局した各物理チャンネルのテレビジョン信号を受信できるか否かを判定する受信可否判定手段と、本装置の設置されている地域を判定する設置地域判定手段とを備え、設置地域判定手段は、受信可否判定手段により受信できると判定された物理チャンネルのテレビジョン信号から、該物理チャンネルに割り当てられている論理チャンネル番号を示すＬＣＮ情報を取得し、該物理チャンネルのテレビジョン信号から取得したＬＣＮ情報と、地域情報記憶手段に記憶している地域情報テーブルのＬＣＮ情報とに基いて、本装置の設置されている地域を判定するものである。
【００１０】
請求項２の発明は、請求項１に記載のテレビジョン信号受信装置において、地域情報記憶手段に記憶している地域情報テーブルは、各地域における、各物理チャンネルの放送周波数のオフセットを示す周波数オフセット情報をさらに含み、設置地域判定手段は、受信可否判定手段により受信できると判定された物理チャンネルのテレビジョン信号から、該物理チャンネルの放送周波数のオフセットを示す周波数オフセット情報をさらに取得し、該物理チャンネルのテレビジョン信号から取得したＬＣＮ情報及び周波数オフセット情報と、地域情報記憶手段に記憶している地域情報テーブルのＬＣＮ情報及び周波数オフセット情報とに基いて、本装置の設置されている地域を判定するものである。
【００１１】
請求項３の発明は、請求項１に記載のテレビジョン信号受信装置において、論理チャンネル番号と物理チャンネルとの対応を示すチャンネルリストを作成するチャンネルリスト作成手段と、ユーザにより選択された論理チャンネル番号に対応する物理チャンネルを選局するユーザ選択チャンネル選局手段とをさらに備え、チャンネルリスト作成手段は、設置地域判定手段による判定結果と受信可否判定手段による判定結果とに基いて、チャンネルリストとして、設置地域判定手段により本装置の設置地域であると判定された地域における論理チャンネル番号と受信可否判定手段により受信できると判定された物理チャンネルとの対応を示すリストを作成し、ユーザ選択チャンネル選局手段は、チャンネルリスト作成手段により作成されたチャンネルリストに基いて、ユーザにより選択された論理チャンネル番号に対応する物理チャンネルを選局するものである。
【００１２】
請求項４の発明は、請求項１に記載のテレビジョン信号受信装置において、地域情報記憶手段に記憶している地域情報テーブルは、各地域における、各物理チャンネルの放送周波数のオフセットを示す周波数オフセット情報をさらに含み、ユーザにより選択された論理チャンネル番号に対応する物理チャンネルを選局するユーザ選択チャンネル選局手段をさらに備え、ユーザ選択チャンネル選局手段は、ユーザにより選択された論理チャンネル番号に対応する物理チャンネルを、地域情報記憶手段に記憶している地域情報テーブルの周波数オフセット情報に基いて、オフセット込みの周波数で選局するものである。
【発明の効果】
【００１３】
請求項１の発明によれば、設置地域判定手段によって、受信できるテレビジョン信号から取得したＬＣＮ情報と、予め記憶している地域情報テーブルのＬＣＮ情報とに基いて、本装置の設置されている地域が判定される。従って、ユーザが本装置の設置地域を指定するための操作をすることなく、設置地域判定手段により判定された地域に基いて、自動的に、地域設定を行うことができ、ユーザの使い勝手を向上させることができる。
【００１４】
請求項２の発明によれば、設置地域判定手段によって、受信できるテレビジョン信号から取得したＬＣＮ情報及び周波数オフセット情報と、予め記憶している地域情報テーブルのＬＣＮ情報及び周波数オフセット情報とに基いて、より精度良く、本装置の設置されている地域が判定される。従って、設置地域判定手段により判定された地域に基いて、より適切に、地域設定を行うことができ、ユーザの使い勝手を向上させることができる。
【００１５】
請求項３の発明によれば、チャンネルリスト作成手段によって、設置地域判定手段により判定された地域に基いて、本装置の設置地域における論理チャンネル番号と受信可能な物理チャンネルとの対応を示すチャンネルリストが作成される。従って、ユーザが本装置の設置地域を指定するための操作をすることなく、設置地域判定手段により判定された地域に基いて、自動的に、本装置の設置地域に適応するチャンネルリストを作成することができ、ユーザの使い勝手を向上させることができる。
【００１６】
請求項４の発明によれば、ユーザが論理チャンネル番号を選択すると、その選択された論理チャンネル番号に対応する物理チャンネルがオフセット込みの周波数で選局される。従って、ユーザが論理チャンネル番号を選択したときに、その論理チャンネル番号に対応する物理チャンネルをロックする（テレビジョン信号を適正に受信できるように受信周波数の微調整を完了する）のが速くなる。これにより、ユーザが論理チャンネル番号を選択したときの選局動作を高速化して、ユーザが選択した論理チャンネル番号に対応する物理チャンネルのテレビジョン信号に基く映像を素早く表示することができ、ユーザの使い勝手を向上させることができる。
【図面の簡単な説明】
【００１７】
【図１】本発明の一実施形態に係るテレビジョン信号受信装置の概略構成を示す電気的ブロック構成図。
【図２】同テレビジョン信号受信装置の周波数テーブルを示す図。
【図３】同テレビジョン信号受信装置の地域情報テーブルを示す図。
【図４】同テレビジョン信号受信装置のチャンネルリストを示す図。
【図５】同テレビジョン信号受信装置のオートサーチ動作を示すフローチャート。
【図６】同テレビジョン信号受信装置のユーザ選択チャンネル選局動作を示すフローチャート。
【発明を実施するための形態】
【００１８】
以下、本発明を具体化した実施形態によるテレビジョン信号受信装置について図面を参照して説明する。図１は、本実施形態によるテレビジョン信号受信装置の構成を示す。テレビジョン信号受信装置１は、テレビジョン放送局から電波の形態で放送されるデジタル形式のテレビジョン信号を受信する装置である。このテレビジョン信号受信装置１は、外部装置２を接続して使用するようになっており、テレビジョン信号に基く映像、音声を外部装置２によって出力するようになっている。
【００１９】
テレビジョン信号受信装置１は、チューナ１１と、デコーダ１２と、リモコン１３と、リモコン受信部１４と、メモリ（地域情報記憶手段）１５と、テレビジョン信号受信装置１の動作を制御する制御部（受信可否判定手段、設置地域判定手段、チャンネルリスト作成手段、ユーザ選択チャンネル選局手段）１６等を備える。
【００２０】
チューナ１１は、制御部１６による制御のもと、受信周波数が設定されることにより、その設定された周波数の信号をアンテナ１ａを介して受信する。テレビジョン信号は、複数の異なる放送周波数で放送されており、各テレビジョン信号の放送周波数には、物理チャンネルと呼ばれる放送チャンネルが対応付けられている。すなわち、チューナ１１は、制御部１６による制御のもと、受信周波数が物理チャンネルに対応する放送周波数に設定されることにより、その物理チャンネルで放送されているテレビジョン信号をアンテナ１ａを介して受信する。
【００２１】
デコーダ１２は、制御部１６による制御のもと、チューナ１１により受信したテレビジョン信号をデコード処理して、チューナ１１により受信したテレビジョン信号から、映像信号及び音声信号を生成する。デコーダ１２により生成された映像信号及び音声信号は、外部装置２に供給され、これにより、テレビジョン信号に基く映像が外部装置２のディスプレイ２１に表示されると共に、テレビジョン信号に基く音声が外部装置２のスピーカ２２から出力される。
【００２２】
また、テレビジョン信号には、ＬＣＮ（論理チャンネル番号）を示すＬＣＮ情報及び放送周波数のオフセットを示す周波数オフセット情報が含まれており、デコーダ１２は、チューナ１１により受信したテレビジョン信号から、これらＬＣＮ情報及び周波数オフセット情報を抽出する。デコーダ１２により抽出されたＬＣＮ情報及び周波数オフセット情報は、制御部１６に与えられる。
【００２３】
リモコン１３は、テレビジョン信号受信装置１の電源のオン／オフ、受信するテレビジョン信号の放送チャンネルの選択等、テレビジョン信号受信装置１の各種動作を指示するためにユーザにより操作され、その操作内容を示す操作信号を送信する。リモコン受信部１４は、リモコン１３から送信された操作信号を受信して、リモコン１３の操作内容を示すリモコン受信信号を出力する。
【００２４】
メモリ１５は、周波数テーブル、及び地域情報テーブルを予め記憶している。周波数テーブルは、各物理チャンネルの放送周波数を示す放送周波数情報を記載したテーブルである。地域情報テーブルは、各地域における、各物理チャンネルに割り当てられたＬＣＮを示すＬＣＮ情報、及び、各地域における、各物理チャンネルの放送周波数のオフセットを示す周波数オフセット情報を記載したテーブルである。また、メモリ１５は、制御部１６による制御のもと、チャンネルリストを記憶する。チャンネルリストは、受信可能なテレビジョン信号についての、ＬＣＮと物理チャンネルとの対応を示すリストである。
【００２５】
制御部１６は、リモコン受信部１４から出力されるリモコン受信信号に基いて、ユーザによるリモコン１３の操作内容を判断し、ユーザによるリモコン１３の操作を受けて、テレビジョン信号受信装置１の各種動作を制御する。制御部１６は、テレビジョン信号受信装置１の動作を制御するためのプログラムや各種データを記憶したメモリを有しており、このメモリに記憶しているプログラムや各種データに基いて、テレビジョン信号受信装置１の各種動作を制御する。制御部１６は、テレビジョン信号受信装置１の各種動作として、オートサーチ動作、ユーザ選択チャンネル選局動作等の動作を制御する。
【００２６】
図２は、上記メモリ１５に記憶している周波数テーブルを示す。周波数テーブルには、各物理チャンネルの放送周波数を示す放送周波数情報が記載されている。図２に示す例では、放送周波数情報として、物理チャンネル１の放送周波数がｆ１ＭＨｚであり、物理チャンネル２の放送周波数がｆ２ＭＨｚであり、物理チャンネル３の放送周波数がｆ３ＭＨｚであり、物理チャンネル４の放送周波数がｆ４ＭＨｚであり、物理チャンネル５の放送周波数がｆ５ＭＨｚであり、物理チャンネル６の放送周波数がｆ６ＭＨｚであることが記載されている。
【００２７】
図３は、上記メモリ１５に記憶している地域情報テーブルを示す。地域情報テーブルには、各地域における、各物理チャンネルに割り当てられたＬＣＮを示すＬＣＮ情報、及び、各地域における、各物理チャンネルの放送周波数のオフセットを示す周波数オフセット情報が記載されている。
【００２８】
図３に示す例では、各地域における、各物理チャンネルに割り当てられたＬＣＮを示すＬＣＮ情報として、Ａ地域については、物理チャンネル１に割り当てられたＬＣＮが「４２」であり、物理チャンネル２に割り当てられたＬＣＮが「４５」であり、物理チャンネル３に割り当てられたＬＣＮが「４３」であり、物理チャンネル４に割り当てられたＬＣＮが「６７」であり、物理チャンネル５に割り当てられたＬＣＮが「４０」であり、物理チャンネル６に割り当てられたＬＣＮが「４６」であることが記載されている。Ｂ地域、Ｃ地域、Ｄ地域については、図示の通りである。
【００２９】
また、図３に示す例では、各地域における、各物理チャンネルの放送周波数のオフセットを示す周波数オフセット情報として、Ａ地域については、物理チャンネル１の放送周波数の周波数オフセットが−１６６．６７ｋＨｚであり、物理チャンネル２の放送周波数の周波数オフセットが−１６６．６７ｋＨｚであり、物理チャンネル３の放送周波数の周波数オフセットが＋１６６．６７ｋＨｚであり、物理チャンネル４の放送周波数の周波数オフセットが０であり、物理チャンネル５の放送周波数の周波数オフセットが＋１６６．６７ｋＨｚであり、物理チャンネル６の放送周波数の周波数オフセットが＋１６６．６７ｋＨｚであることが記載されている。Ｂ地域、Ｃ地域、Ｄ地域については、図示の通りである。
【００３０】
次に、上記オートサーチ動作について説明する。オートサーチ動作とは、各物理チャンネルのテレビジョン信号を受信できるか否かを自動的に判定し、また、テレビジョン信号受信装置１の設置されている地域を自動的に判定して設定すると共に、テレビジョン信号を受信できる物理チャンネルについて、ＬＣＮと物理チャンネルとの対応を示すチャンネルリストを自動的に作成する動作である。
【００３１】
すなわち、オートサーチ動作において、制御部１６は、テレビジョン信号の各物理チャンネルを選局して、それら選局した各物理チャンネルのテレビジョン信号を受信できるか否かを判定する。このとき、制御部１６は、メモリ１５に記憶している周波数テーブルに基いて、チューナ１１の受信周波数を各物理チャンネルの放送周波数に設定することにより、各物理チャンネルを選局し、そのときに、チューナ１１により受信されるテレビジョン信号の振幅レベルや、デコーダ１２により生成される映像信号の正常性（エラーレートやブロックノイズの程度）を検査することにより、各物理チャンネルのテレビジョン信号を受信できるか否かを判定する。
【００３２】
また、オートサーチ動作において、制御部１６は、テレビジョン信号受信装置１の設置されている地域を判定して設定する。このとき、制御部１６は、各物理チャンネルのテレビジョン信号を受信できるか否かの判定により受信できると判定された物理チャンネルのテレビジョン信号から、その物理チャンネルに割り当てられているＬＣＮを示すＬＣＮ情報、及び、その物理チャンネルの放送周波数のオフセットを示す周波数オフセット情報を取得し、それらテレビジョン信号から取得したＬＣＮ情報及び周波数オフセット情報と、メモリ１５に記憶している地域情報テーブルのＬＣＮ情報及び周波数オフセット情報とに基いて、テレビジョン信号受信装置１の設置されている地域を判定して設定する。テレビジョン信号受信装置１の設置されている地域の設定は、テレビジョン信号受信装置１の設置されている地域であると判定した地域を示す地域識別データをメモリ１５の地域設定エリアに記憶することにより行われる。
【００３３】
また、オートサーチ動作において、制御部１６は、テレビジョン信号を受信できる物理チャンネルについて、ＬＣＮと物理チャンネルとの対応を示すチャンネルリストを作成する。このとき、制御部１６は、各物理チャンネルのテレビジョン信号を受信できるか否かの判定結果と、テレビジョン信号受信装置１の設置されている地域の判定結果とに基いて、チャンネルリストとして、テレビジョン信号受信装置１の設置地域であると判定された地域におけるＬＣＮとテレビジョン信号を受信できると判定された物理チャンネルとの対応を示すリストを作成する。作成されたチャンネルリストは、メモリ１５に記憶される。オートサーチ動作は、ユーザによるオートサーチ動作を行うための操作を受けて行われる。
【００３４】
図４は、オートサーチ動作において作成されるチャンネルリストを示す。チャンネルリストには、受信可能なテレビジョン信号についての、テレビジョン信号受信装置１の設置地域であると判定された地域におけるＬＣＮと物理チャンネルとの対応が記載される。図４に示すチャンネルリストは、テレビジョン信号受信装置１の設置地域であると判定された地域がＢ地域である場合のチャンネルリストを示しており、図４に示す例では、ＬＣＮ「３９」が物理チャンネル４に対応し、ＬＣＮ「４８」が物理チャンネル３に対応し、ＬＣＮ「４９」が物理チャンネル１に対応し、ＬＣＮ「５０」が物理チャンネル６に対応し、ＬＣＮ「５４」が物理チャンネル５に対応し、ＬＣＮ「６８」が物理チャンネル２に対応していることが記載されている。
【００３５】
次に、上記ユーザ選択チャンネル選局動作について説明する。ユーザ選択チャンネル選局動作とは、ユーザにより選択されたＬＣＮに対応する物理チャンネルを選局する動作である。
【００３６】
すなわち、ユーザ選択チャンネル選局動作において、制御部１６は、メモリ１５に記憶されている（オートサーチ動作において作成された）チャンネルリストに基いて、ユーザにより選択されたＬＣＮに対応する物理チャンネルを選局する。このとき、制御部１６は、ユーザにより選択されたＬＣＮに対応する物理チャンネルを、メモリ１５に記憶している地域情報テーブルの周波数オフセット情報に基いて、オフセット込みの周波数で選局する。つまり、制御部１６は、チューナ１１の受信周波数を、ユーザにより選択されたＬＣＮに対応する物理チャンネルの放送周波数から、メモリ１５に記憶している地域情報テーブルの周波数オフセット情報の示す周波数オフセットだけオフセットさせた周波数に設定することにより、ユーザにより選択されたＬＣＮに対応する物理チャンネルを選局する。ユーザ選択チャンネル選局動作は、ユーザによるＬＣＮを選択する操作を受けて行われる。
【００３７】
図５は、上記テレビジョン信号受信装置１のオートサーチ動作のフローチャートを示す。まず、制御部１６は、選局対象の物理チャンネルを決定する（＃１）。すなわち、制御部１６は、テレビジョン信号を受信できるか否かを判定する受信可否判定対象の物理チャンネルを決定する。このとき、制御部１６は、メモリ１５に記憶している周波数テーブルに記載の順に従って、オートサーチ動作において未だ選局していない（テレビジョン信号を受信できるか否かを未だ判定していない）物理チャンネルを１つ選択し、その物理チャンネルを選局対象の物理チャンネルとして決定する。
【００３８】
続いて、制御部１６は、選局対象の物理チャンネル（＃１で決定した物理チャンネル）を選局する。すなわち、制御部１６は、メモリ１５に記憶している周波数テーブルに基いて、選局対象の物理チャンネルの放送周波数を算出し、チューナ１１の受信周波数を選局対象の物理チャンネルの放送周波数に設定する。
【００３９】
そして、制御部１６は、テレビジョン信号を受信できるか否かを判定する（＃３）。テレビジョン信号を受信できるか否かの判定は、チューナ１１により受信されるテレビジョン信号の振幅レベルや、デコーダ１２により生成される映像信号の正常性（エラーレートやブロックノイズの程度）を検査することにより行われる。
【００４０】
ここで、テレビジョン信号を受信できると判定した場合には（＃３でＹＥＳ）、制御部１６は、そのテレビジョン信号（すなわち受信できると判定された物理チャンネルのテレビジョン信号）から、その物理チャンネルに割り当てられているＬＣＮを示すＬＣＮ情報、及びその物理チャンネルの放送周波数のオフセットを示す周波数オフセット情報を取得し、それら取得したＬＣＮ情報、及び周波数オフセット情報を選局中の物理チャンネルと対応付けてメモリ１５に記憶する（＃４）。
【００４１】
その後、全ての物理チャンネルを選局していなければ（＃５でＮＯ）、制御部１６は、次の物理チャンネルについて、上記＃１以降の処理を繰り返す。すなわち、全ての物理チャンネルを選局するまで、上記＃１以降の処理が繰り返される。これにより、全ての物理チャンネルについて、テレビジョン信号を受信できるか否かが判定され、受信できると判定された各物理チャンネルのテレビジョン信号から、各物理チャンネルに割り当てられているＬＣＮを示すＬＣＮ情報、及び各物理チャンネルの放送周波数のオフセットを示す周波数オフセット情報が取得されて、それら取得されたＬＣＮ情報、及び周波数オフセット情報が各物理チャンネルと対応付けてメモリ１５に記憶される。
【００４２】
全ての物理チャンネルの選局を終了すれば（＃５でＹＥＳ）、制御部１６は、＃４でメモリ１５に記憶した（テレビジョン信号から取得した）ＬＣＮ情報及び周波数オフセット情報と、メモリ１５に予め記憶している地域情報テーブルのＬＣＮ情報及び周波数オフセット情報とを照合して、テレビジョン信号受信装置１の設置されている地域を判定する（＃６）。すなわち、制御部１６は、＃４でメモリ１５に記憶したＬＣＮ情報及び周波数オフセット情報に基く、物理チャンネルとＬＣＮ及び周波数オフセットとの対応関係を、メモリ１５に予め記憶している地域情報テーブルに基く、各地域における物理チャンネルとＬＣＮ及び周波数オフセットとの対応関係と比較し、それらの対応関係が完全に一致（全ての物理チャンネルで一致）する地域があれば、その地域をテレビジョン信号受信装置１の設置されている地域と判定する。但し、テレビジョン信号受信装置１の設置環境や電波の受信環境等によっては、テレビジョン信号受信装置１の設置地域向けのテレビジョン信号とは異なる、別の地域向けのテレビジョン信号を受信できる場合があり、このような場合には、それらの対応関係は完全には一致しない。従って、それらの対応関係が完全に一致する地域がない場合には、それらの対応関係の一致度が最も高い地域をテレビジョン信号受信装置１の設置されている地域と判定する。
【００４３】
そして、制御部１６は、自動で地域設定を行う（＃７）。すなわち、制御部１６は、＃６で判定した地域を示す地域識別データをメモリ１５の地域設定エリアに記憶することにより、テレビジョン信号受信装置１の設置されている地域を設定する。
【００４４】
その後、制御部１６は、＃７で行った地域設定に基いて、テレビジョン信号受信装置１の設置されている地域に適応するチャンネルリストを作成する（＃８）。すなわち、制御部１６は、受信できると判定されたテレビジョン信号について、テレビジョン信号受信装置１の設置されている地域であると判定された地域におけるＬＣＮと物理チャンネルとの対応を示すチャンネルリストを作成し、作成したチャンネルリストをメモリ１５に記憶する。このとき、テレビジョン信号受信装置１の設置地域向けのテレビジョン信号とは異なる、別の地域向けのテレビジョン信号を受信できる場合には、そのテレビジョン信号についてのＬＣＮと物理チャンネルとの対応も示すようにチャンネルリストを作成する。但し、別の地域向けのテレビジョン信号から取得したＬＣＮ情報の示すＬＣＮが、テレビジョン信号受信装置１の設置地域向けのテレビジョン信号から取得したＬＣＮ情報の示すＬＣＮと同じ場合には、＃７で行った地域設定に基いて、テレビジョン信号受信装置１の設置地域向けのテレビジョン信号に対するＬＣＮを有効にすると共に、別の地域向けのテレビジョン信号に対するＬＣＮを変更して、チャンネルリストを作成する。その後、制御部１６は、オートサーチ動作を終了する。
【００４５】
図６は、上記テレビジョン信号受信装置１のユーザ選択チャンネル選局動作のフローチャートを示す。ユーザによりＬＣＮを選択する操作がなされると（＃１１でＹＥＳ）、制御部１６は、ユーザにより選択されたＬＣＮと、メモリ１５に記憶している（オートサーチ動作において作成された）チャンネルリストに基いて、選局対象の物理チャンネルを決定する（＃１２）。すなわち、制御部１６は、メモリ１５に記憶しているチャンネルリストの記載に従って、ユーザにより選択されたＬＣＮに対応する物理チャンネルを求め、その物理チャンネルを選局対象の物理チャンネルとして決定する。
【００４６】
続いて、制御部１６は、メモリ１５に記憶している周波数テーブルに基いて、選局対象の物理チャンネル（＃１１で決定した物理チャンネル）の放送周波数を算出する（＃１３）。また、制御部１６は、地域設定（オートサーチ動作において、メモリ１５の地域設定エリアに記憶された地域識別データ）と、メモリ１５に記憶している地域情報テーブルとに基いて、選局対象の物理チャンネルの周波数オフセットを算出する（＃１４）。
【００４７】
そして、制御部１６は、選局対象の物理チャンネル（ユーザにより選択されたＬＣＮに対応する物理チャンネル）を、オフセット込みの周波数で選局する（＃１５）。すなわち、制御部１６は、チューナ１１の受信周波数を、選局対象の物理チャンネルの放送周波数から、＃１４で算出した周波数オフセットだけオフセットさせた周波数に設定する。
【００４８】
このような構成のテレビジョン信号受信装置１によれば、受信できるテレビジョン信号から取得したＬＣＮ情報及び周波数オフセット情報と、メモリ１５に予め記憶している地域情報テーブルのＬＣＮ情報及び周波数オフセット情報とに基いて、テレビジョン信号受信装置１の設置されている地域が判定されて、地域設定が行われる。従って、ユーザがテレビジョン信号受信装置１の設置地域を指定するための操作をすることなく、自動的に、地域設定を行うことができ、ユーザの使い勝手を向上させることができる。
【００４９】
しかも、ＬＣＮ情報及び周波数オフセット情報に基いて、テレビジョン信号受信装置１の設置されている地域が判定されるため、より精度良く、テレビジョン信号受信装置１の設置されている地域が判定され、より適切に、地域設定を行うことができ、ユーザの使い勝手を向上させることができる。
【００５０】
また、テレビジョン信号受信装置１の設置されている地域であると判定された地域に基いて、テレビジョン信号受信装置１の設置地域におけるＬＣＮと受信可能な物理チャンネルとの対応を示すチャンネルリストが作成される。従って、ユーザがテレビジョン信号受信装置１の設置地域を指定するための操作をすることなく、自動的に、テレビジョン信号受信装置１の設置地域に適応するチャンネルリストを作成することができ、ユーザの使い勝手を向上させることができる。
【００５１】
また、ユーザがＬＣＮを選択すると、その選択されたＬＣＮに対応する物理チャンネルがオフセット込みの周波数で選局される。従って、ユーザがＬＣＮを選択したときに、そのＬＣＮ番号に対応する物理チャンネルをロックする（テレビジョン信号を適正に受信できるようにチューナ１１の受信周波数の微調整を完了する）のが速くなる。これにより、ユーザがＬＣＮを選択したときの選局動作を高速化して、ユーザが選択したＬＣＮに対応する物理チャンネルのテレビジョン信号に基く映像を素早く表示することができ、ユーザの使い勝手を向上させることができる。
【００５２】
なお、本発明は、上記実施形態の構成に限られず、種々の変形が可能である。例えば、テレビジョン信号受信装置の設置地域の判定は、周波数オフセット情報を用いずに、ＬＣＮ情報のみを用いて判定してもよい。また、チャンネルリストに、ＬＣＮと物理チャンネルの放送周波数（又はオフセット込みの放送周波数）との対応を記載するようにしてもよい。また、テレビジョン信号受信装置は、ディスプレイ及びスピーカを一体的に備えたタイプのものであってもよい。
【符号の説明】
【００５３】
１    テレビジョン信号受信装置
１ａ    アンテナ
２    外部装置
１１    チューナ
１２    デコーダ
１３    リモコン
１４    リモコン受信部
１５    メモリ（地域情報記憶手段）
１６    制御部（受信可否判定手段、設置地域判定手段、チャンネルリスト作成手段、ユーザ選択チャンネル選局手段）
２１    ディスプレイ
２２    スピーカ
【図１】
0005387394.tif 000002
【図２】
0005387394.tif 000003
【図３】
0005387394.tif 000004
【図４】
0005387394.tif 000005
【図５】
0005387394.tif 000006
【図６】
0005387394.tif 000007